(57)【要約】【課題】熱膨張差による接着部分の破損を解消してリフレクタ付き光源装置の小型化を達成する事にある。【解決手段】白熱ランプ（１）にリフレクタ（２）を融着した光源装置であって、白熱ランプ（１）の外囲器（３）とリフレクタ（２）とが同一熱膨張係数を有するガラスで形成されている事を特徴とするものであり、このように、白熱ランプ（１）の外囲器（３）とリフレクタ（２）とが同一熱膨張係数を有するガラスで形成されているので、点灯時において白熱ランプ（１）が高温になり、これにより白熱ランプ（１）の接続部分（５）が高温になったとしても熱膨張差で接続部分（５）が破損するというようなことがない。【選択図】　　図１
2004039599.tif 000002
【特許請求の範囲】
【請求項１】
白熱ランプにリフレクタを融着した光源装置において、白熱ランプの外囲器とリフレクタとが同一熱膨張係数を有するガラスで形成されていることを特徴とする光源装置。
【請求項２】
請求項１に記載のガラスは、石英ガラスであることを特徴とすると光源装置。
【請求項３】
リフレクタの前面開口が透明ガラスで閉塞されており、リフレクタ内が減圧状態となっていることを特徴とする請求項１又は２に記載されている光源装置。
【発明の詳細な説明】
【０００１】
【産業上の利用分野】
本発明はハロゲン電球や放電灯などの白熱ランプにリフレクタを一体的に融着した光源装置に関する。
【０００２】
【従来の技術】
ハロゲン電球や放電灯などの白熱ランプはリフレクタに装着され、店舗照明やスタジオ照明等の一般照明を始め、プロジェクタなど電気機器の光源として幅広く使用されている。特に最近では電気機器の光源としての用途が急拡大しており、電気機器の性能の向上と共に更なるコンパクト化および効率化が強く要求されている。
【０００３】
【発明が解決しようとする課題】
このようなリフレクタ付き光源装置にあっては、白熱ランプとリフレクタとの接続は、一般的にはリフレクタの中央に形成された接続筒に無機接着剤を介して行われていた。ここで問題となるのはリフレクタ付き光源装置の点灯時の熱である。即ち、リフレクタ付き光源装置を点灯とすると白熱ランプが高熱を発し、光源装置全体が高温になる。白熱ランプを構成する外囲器は熱膨張のほとんどない石英ガラスで形成されている。一方、リフレクタは通常のガラスであり、外囲器とリフレクタとの熱膨張係数が相違し、ほとんど熱膨張のない外囲器に対してリフレクタが膨張するため無機接着剤にて一体的に固着されている部分において、外囲器あるいはリフレクタが破損することがあった。
【０００４】
前述のように、リフレクタ付き光源装置の小型化を達成しようとすると、発熱源である白熱ランプと接着部分が近くなり、熱膨張差による接着部分の破損がより頻繁に発生するようになった。
【０００５】
本発明はこのようなコンパクト化に伴って発生する問題点を解決することをその課題とするものである。
【０００６】
【課題を解決するための手段】
この発明の光源装置は「白熱ランプ（１）にリフレクタ（２）を融着した光源装置であって、白熱ランプ（１）の外囲器（３）とリフレクタ（２）とが同一熱膨張係数を有するガラスで形成されている」事を特徴とするものである。また、「請求項２」はガラスの種類に関し、例えばこれが「石英ガラス」であることを特徴とする。更に「請求項３」は「リフレクタ（２）の前面開口が透明板（４）で閉塞されており、リフレクタ（２）内が減圧状態となっている」ことを特徴とする。
【０００７】
このように、ハロゲン電球や放電灯などの白熱ランプ（１）の外囲器（３）とリフレクタ（２）とが同一熱膨張係数を有するガラスで形成されているので、点灯時において白熱ランプ（１）が高温になり、これにより白熱ランプ（１）の接続部分（５）が高温になったとしても熱膨張差で接続部分（５）が破損するというようなことがない。なお、白熱ランプ（１）の外囲器（３）は通常石英ガラスで形成されているので、リフレクタ（２）も同じ材料である石英ガラスで形成されることが好ましい。また、特に白熱ランプ（１）の１種である放電灯では、最近では長寿命・高効率を狙って白熱ランプ（１）の発光部（６）を２００気圧以上の高圧にすることが行われているが、リフレクタ（２）内を減圧状態にしておくことにより白熱ランプ（１）が破裂したときに、発光部（６）に封じこまれていた高圧の封止ガスがリフレクタ（２）内に放出されたとき、その圧力が減殺されてリフレクタ（２）の連鎖破損を防ぐことができる。
【０００８】
【発明の実施の形態】
以下、本発明を図示実施例に従って詳述する。図１は、本発明の第１実施例の断面図で、これはアウタバルブ（７）に収納されたハロゲン電球や放電灯などの白熱ランプ（１）［即ち、この場合は放電灯であるがこれに限られない］がリフレクタ（２）に装着された光源装置である。
【０００９】
白熱ランプ（１）の外囲器（３）、アウタバルブ（７）及びリフレクタ（２）はいずれも石英ガラス［例えば、バイコールガラス（コーニング社の人工石英の商品名）も含む］で形成されており、同じ熱膨張係数を有するものである。
【００１０】
白熱ランプ（１）はここでは放電灯を採用している。勿論、ハロゲン電球の採用することも可能であるが、ここでは放電灯その代表例として説明する。本実施例における白熱ランプ（１）は球状あるいは回転楕円体の発光部（６）の両側から一体的に延出された一対の封止部（８）、封止部（８）内にそれぞれ埋設されたモリブデン箔（９）、モリブデン箔（９）内側端部に溶接され、発光部（６）内に互いに対向するように配置された電極（１０）及びモリブデン箔（９）の外側端部に溶接され封止部（８）外に導出された外部リード棒（１１）とで構成され、発光部（６）内には水銀やハロゲンガス、稀ガスその他必要材料が封入されている。なお、封止部（８）はシュリンクシールでもピンチシールでもよく、封止部（８）の先端部分（１２）は次に述べるアウタバルブ（７）の取り付け部分となっており、封止部（８）の本体部分（８ａ）より若干細く形成されている。
【００１１】
アウタバルブ（７）は内部に前記白熱ランプ（１）を収納しており、その頂部（１３）は細く絞られており、アウタバルブ（７）内に収納された白熱ランプ（１）の一方の先端部分（１２）が挿入されており、更にその中間部分が細く絞られており、この中間絞部（１４）［中間絞部（１４）の代りに内側に向けて突起を形成してもよい］に他方の先端部分（１２）を挿入し、前記頂部（１３）と中間絞部（１４）にて白熱ランプ（１）を保持するようになっている。アウタバルブ（７）の底端（１５）はフレアに広がっており、次に述べるリフレクタ（２）の中央に形成された円筒状の取付筒部（１６）に一体的に融着されている。
【００１２】
リフレクタ（２）の本体部分（１９）は凹面鏡状のもので、その内周面に反射層（１７）が形成されており、その外周面には赤外線透過層（１８）が形成されている。そしてその中央に円筒状の取付筒部（１６）が形成されており、前述のようにアウタバルブ（７）のフレア状の底端（１５）が一体的に融着されている。
【００１３】
また、前記本体部分（１９）の側面には一方の外部リード棒（１１）に溶接した導線（２０）を外部に導出するための導出筒部（２１）が設けられており、モリブデン箔（２１ａ）を介してこの導出筒部（２１）を封止して導出筒部（２１）から導線（２０ａ）が外部に気密的に導出されている。ここで、前記中間絞部（１４）と封止部（８）の先端部分（１２）及び取付筒部（１６）と底端（１５）の融着は全周にわたって一体的に融着され、この部分からの空気の漏洩がないように形成されている。
【００１４】
リフレクタ（２）の前面開口には、透明板（４）［この場合、この部分における熱膨張差をなくすためリフレクタ（２）と同じ石英を使用することが好ましい］が気密的に嵌め込まれており、前記導出筒部（２１）の封止時に導出筒部（２１）からリフレクタ（２）内の空気を抜いて減圧状態とし、その後導出筒部（２１）を封止することになる。
【００１５】
リフレクタ（２）の製造方法は特に限定されるものではないが、その一例を示せば、樹脂バインダと微細石英ガラスとの混練物を所定形状に成形し、これを脱バインダした後、焼成してリフレクタ（２）とする。
【００１６】
なお、アウタバルブ（７）とリフレクタ（２）との融着作業は、リフレクタ（２）に対する白熱ランプ（１）の３次元焦点合わせを行った後行われる。
【００１７】
このように形成したリフレクタ付き光源装置の白熱ランプ（１）を点灯すると、白熱ランプ（１）はおびただしい熱を発生し全体が高温に昇温する。この時、従来のリフレクタ付き光源装置では前述のようにリフレクタと白熱ランプとの材料が異なっていたためその接続部分で弱い方が破損することがあったが、この場合では、構成材料は同じ膨張係数の材料、即ち、石英ガラスで構成されているため、接続部分（５）における熱膨張差がまったく発生せず、従って接続部分（５）における破損事故は確実に解消される。
【００１８】
なお、図からわかるように接続部分（５）は取付筒部（１６）の先端部分であるから、高熱を発する発光部（６）から遠く離れているので、この点でも接続部分（５）における破損事故をなくす上において効果がある。
【００１９】
また、万一、白熱ランプ（１）の破裂事故が発生したとしても、この場合白熱ランプ（１）はアウタバルブ（７）内に収納されているので、アウタバルブ（７）が白熱ランプ（１）の破裂時の衝撃で破損しない限り、破片が外部に飛び散ることはない。仮に、アウタバルブ（７）が前記衝撃で破損したとしても、リフレクタ（２）内は減圧状態となっているので、リフレクタ（２）内に放出された膨張ガスは前記減圧によって緩和され、リフレクタ（２）の破損を引き起こさず、非常に安全な光源装置とすることができる。
【００２０】
図１はダブルエンドタイプの放電灯を代表例にして説明したが、勿論、これに限られるものでなく、図２、３はシングルエンドタイプの放電灯を用いた例（第２実施例）である。簡単に説明すると、シングルエンドタイプの放電灯（１）の封止部（８）の底端（１５）を前述同様フレア状に拡径し、このフレア状の底端（１５）を前述同様取付筒部（１６）の先端に気密状にて一体的に融着している。この場合、シングルエンドであるから２本の外部リード棒（１１）は取付筒部（１６）から導出することができるので、第１実施例のような導出筒部（２１）は不要である。そのため、図３に示すように封止部（８）に、封止部（８）の側面から先端に至る連通孔（２２）を形成し、前記連通孔（２２）に接続している連通管（２３）からリフレクタ（２）内の空気を抜き、内部を減圧した後、連通管（２３）を封止する。
【００２１】
図４は前述のようなフレア状の底端の代りにストレートの底端（１５）に端部が薄肉に形成された取付筒部（１６）を用い、この薄肉部分（１６ａ）を一体的且つ気密的に融着させるようにしてもよい。薄肉部分（１６ａ）を使用することで、融着が容易に行われる。
【００２２】
図５は第３実施例で、シングルエンド型のハロゲン電球（１）の発光部（６）と封止部（８）との境目に直接リフレクタ（２）の本体部分（１９）［この場合は取付筒部が存在しない］を一体的且つ気密的に融着させるようにした例である。この場合もリフレクタ（２）内は減圧される。減圧用のチップ管は図示せず。（１０ａ）はフィラメントである。
【００２３】
【発明の効果】
本発明によれば、白熱ランプの外囲器とリフレクタとが同一熱膨張係数を有するガラスで形成されているので、点灯時、熱膨張差で接続部分が破損するというようなことがない。また、リフレクタ内を減圧状態にしておくことにより白熱ランプが破裂したとき、破裂時の高圧の封止ガス圧が減殺されてリフレクタの連鎖破損を防ぐことができる。
【図面の簡単な説明】
【図１】本発明の第１実施例の断面図である。
【図２】本発明の第２実施例の断面図である。
【図３】図２のＸ−Ｘ断面図である。
【図４】本発明の接続筒部の他の実施例の断面図である。
【図５】本発明の第３実施例の断面図である。
【符号の説明】
（１）　白熱ランプ
（２）　リフレクタ
（３）　外囲器
（４）　透明板
（５）　接続部分
【図１】
2004039599.tif 000003
【図２】
2004039599.tif 000004
【図３】
2004039599.tif 000005
【図４】
2004039599.tif 000006
【図５】
2004039599.tif 000007